(57)【要約】【課題】持ち運びが容易で、かつ簡単な構造で音の広がりを良くできる音響機構を備えた簡易スピーカテーブルを提供する。【解決手段】天板に脚部材を取り付けて使用するテーブルにおいて、天板の側面に、音源装置の少なくとも一部を収容する、少なくとも１つの凹み部が形成され、凹み部の幅寸法は、天板の中央方向から側面方向に向かうに従い漸増するように設けられる。天板は、表面材と、中面材と、裏面材と、が上から順に積層して接着され、凹み部は、中面材を切欠き状に設け、形成されたことが好ましい。また、裏面材には、凹み部を構成する箇所の一部に、切欠き部が設けられることが好ましい。【選択図】図６
0003228563.tif 000002
【実用新案登録請求の範囲】
【請求項１】
天板に脚部材を取り付けて使用するテーブルにおいて、
天板の側面に、音源装置の少なくとも一部を収容する、少なくとも１つの凹み部が形成され、
前記凹み部の幅寸法は、前記天板の中央方向から前記側面方向に向かうに従い漸増するように設けられることを特徴とする簡易スピーカテーブル。
【請求項２】
前記天板は、表面材と、中面材と、裏面材と、が上から順に積層して接着され、
前記凹み部は、中面材を切欠き状に設け、形成されたことを特徴とする請求項１に記載の簡易スピーカテーブル。
【請求項３】
前記裏面材には、前記凹み部を構成する箇所の一部に、切欠き部が設けられることを特徴とする請求項２に記載の簡易スピーカテーブル。
【請求項４】
前記天板は、４つの孔部が形成され、
前記脚部材は、パネル状の第１及び第２の脚部材で構成され、
第１の脚部材は、脚部材本体に、２つの脚部と、２つの凸部と、下方に開口された第１係合部が設けられ、
第２の脚部材は、脚部材本体に、２つの脚部と、２つの凸部と、上方に開口された第２係合部が設けられ、
第１係合部と第２係合部とが係合した状態で、前記孔部と、第１及び第２の脚部材に設けられた前記凸部とを、それぞれ嵌合させて組み立てることを特徴とする請求項１〜３の何れかに記載の簡易スピーカテーブル。
【考案の詳細な説明】
【技術分野】
【０００１】
本考案は、持ち運びが可能であり、かつ音響装置を備える家具に関するものである。
【背景技術】
【０００２】
近年、スマートフォンなどの携帯端末が広く普及したことにより、ユーザは自身の好みの音楽やラジオなどを手軽に聴取することが可能となった。例えば、スマートフォンで音楽を聴く場合、既設のスピーカを利用するだけでなく、イヤホンや、外部スピーカに接続して音楽を楽しむことが可能である。
しかしながら、例えば、ピクニックやハイキングなどの際に、皆で音楽を楽しむ場合には、電源を必要とする外部スピーカなどを利用できない場合が存在する。
【０００３】
そこで、電源を必要としない音響装置として、一対のスピーカ開口と、外部音源を差し込むための差込口が設けられ、差込口がスピーカ開口と連通した中空の箱体からなる音響装置が知られている（特許文献１を参照）。
特許文献１に開示された音響装置では、音響空間が、中央部からスピーカ開口に向けて幅広となるように形成されており、比較的簡単な構造で、音の広がりを良くできるとする。
しかしながら、特許文献１に開示された音響装置では、予め設けられた差込口に携帯端末等の外部音源を配置する必要があるため、利用できる外部音源が限られ、また、携帯端末等の取付方法についての自由度も高くないという問題がある。
また、スピーカ開口を１つではなく、一対設ける構造であるため、音響構造が複雑となり、製造コストが高くなるという問題がある。
【先行技術文献】
【特許文献】
【０００４】
【特許文献１】特開２０１７−２２７７４１号公報
【考案の概要】
【考案が解決しようとする課題】
【０００５】
ピクニックなどでは、皆で食事等を行うために、軽量で組立て式の簡易テーブルが利用されることが多い。このような持ち運び可能な簡易テーブルに、簡単な構造で音の広がりを良くできる音響機構が備えられていれば、別途、スピーカを用意することなく皆で音楽等を楽しめることとなる。
上記状況に鑑みて、本考案は、持ち運びが容易で、かつ簡単な構造で音の広がりを良くできる音響機構を備えた簡易スピーカテーブルを提供することを目的とする。
【課題を解決するための手段】
【０００６】
上記目的を達成すべく、本考案の簡易スピーカテーブルは、天板に脚部材を取り付けて使用するテーブルにおいて、天板の側面に、音源装置の少なくとも一部を収容する、少なくとも１つの凹み部が形成され、凹み部の幅寸法は、天板の中央方向から側面方向に向かうに従い漸増するように設けられる。
天板の側面に、開口方向に向けて幅広となるように凹み部が形成されることにより、音源装置から出力される音を、当該凹み部内で反射かつ増幅させて、効果的に拡散することが可能となる。
天板に脚部材を取り付ける構造とされることにより、持ち運びが容易となる。
【０００７】
本考案の簡易スピーカテーブルにおいて、天板は、表面材と、中面材と、裏面材と、が上から順に積層して接着され、凹み部は、中面材を切欠き状に設け、形成されたことが好ましい。
天板が、表面材、中面材及び裏面材から成ることにより、中面材のみを加工して、容易に凹みを形成することが可能となる。
【０００８】
本考案の簡易スピーカテーブルにおいて、裏面材には、凹み部を構成する箇所の一部に、切欠き部が設けられることが好ましい。
切欠き部が設けられることにより、音源装置の取付け又は取外しが容易となる。
【０００９】
本考案の簡易スピーカテーブルにおいて、天板は、４つの孔部が形成され、脚部材は、パネル状の第１及び第２の脚部材で構成され、第１の脚部材は、脚部材本体に、２つの脚部と、２つの凸部と、下方に開口された第１係合部が設けられ、第２の脚部材は、脚部材本体に、２つの脚部と、２つの凸部と、上方に開口された第２係合部が設けられ、第１係合部と第２係合部とが係合した状態で、孔部と、第１及び第２の脚部材に設けられた凸部とを、それぞれ嵌合させて組み立てることが好ましい。
脚部材を係合した上で、孔部と凸部を嵌合して組み立てる構成とすることにより、組み立てた状態を安定的に保持することができる。
【考案の効果】
【００１０】
本考案の簡易スピーカテーブルによれば、持ち運びが容易で、かつ簡単な構造で音の広がりを良くできるといった効果を有する。
【図面の簡単な説明】
【００１１】
【図１】実施例１の天板の外観図１
【図２】実施例１の天板の外観図２
【図３】第１の脚部材の外観図
【図４】第２の脚部材の外観図
【図５】実施例１の簡易スピーカテーブルの組立説明図
【図６】実施例１の簡易スピーカテーブルの使用イメージ図１
【図７】実施例１の簡易スピーカテーブルの使用イメージ図２
【図８】実施例１の簡易スピーカテーブルの使用イメージ図３
【図９】実施例２の天板の平面図
【考案を実施するための最良の形態】
【００１２】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１３】
図１及び２は、実施例１の天板の外観図であり、図１（１）は平面図、図１（２）は底面図、図２は右側面図を示している。図２に示すように、天板１は、表面材１１、中面材１２及び裏面材１３が上から順に積層されている。表面材１１と中面材１２、中面材１２と裏面材１３はそれぞれ図示しない接着剤により接着されている。なお、表面材１１、中面材１２及び裏面材１３は何れも木材であるが、樹脂やその他の材料を用いてもよい。
図１（１）及び（２）に示すように、天板１には、貫通孔（１０ａ〜１０ｄ）が形成されている。貫通孔（１０ａ〜１０ｄ）は、後述する第１の脚部材２及び第２の脚部材３を取り付けるために利用されるものである。
図１（１）及び（２）に示すように、天板１には凹み部４が形成されており、凹み部４の幅寸法は、天板１の中央方向から右側面方向に向かうに従い漸増するように設けられ、開口部の幅Ｗが最大幅となっている。また、凹み部４は、貫通孔（１０ｂ，１０ｄ）と干渉しないように設けられている。
凹み部４は、図２に示すように、中面材１２を切欠き状とすることで設けられるため、作製の際には、中面材１２を加工した上で、表面材１１及び裏面材１３とそれぞれ貼り合わせることで容易に作製可能である。
図１（２）及び図２に示すように、裏面材１３には、切欠き部５が形成されており、スマートフォン等の音源装置の設置や取り外しを容易にしている。
【００１４】
図３は、第１の脚部材の外観図であり、（１）は正面図、（２）は平面図を示している。図３（１）に示すように、第１の脚部材２は、第１の脚部材本体２１の略両端の下部に脚部（２２ａ，２２ｂ）が設けられ、上部には凸部（２３ａ，２３ｂ）が設けられている。また、第１の脚部材本体２１の中央下部には、下方に開口された第１係合部２４が形成されている。
図３（２）に示すように、第１の脚部材２は、１枚のパネル状の部材から成り、簡易スピーカテーブルを使用しないときは、天板と重ねてコンパクトに収納可能である。なお、第１の脚部材２は合板の木材で構成されるが、単板でもよい。また、樹脂等の材料を用いてもよい。
【００１５】
図４は、第２の脚部材の外観図であり、（１）は正面図、（２）は平面図を示している。図４（１）に示すように、第２の脚部材３は、第２の脚部材本体３１の略両端の下部に脚部（３２ａ，３２ｂ）が設けられ、上部には凸部（３３ａ，３３ｂ）が設けられている。また、第２の脚部材本体３１の中央上部には、上方に開口された第２係合部３４が形成されている。
図４（２）に示すように、第２の脚部材３は、１枚のパネル状の部材から成り、第１の脚部材２と同様に、簡易スピーカテーブルを使用しないときは、天板と重ねてコンパクトに収納可能である。なお、第２の脚部材３は合板の木材で構成されるが、単板でもよい。また、樹脂等の材料を用いてもよい。
【００１６】
図５は、実施例１の簡易スピーカテーブルの組立説明図であり、（１）は第１の脚部材と第２の脚部材を係合した状態、（２）は第１の脚部材と第２の脚部材の天板への取り付けイメージを示している。
図５（１）に示すように、第１の脚部材２と第２の脚部材３は、第１係合部２４と第２係合部３４において係合でき、第１の脚部材２と第２の脚部材３を係合した状態で、図５（２）に示すように、天板１に取り付けることで、天板１を安定的に支持することが可能である。
図５（１）においては、第１の脚部材２と第２の脚部材３を平面視した状態で、凸部３３ａの右に凸部２３ｂが位置し、凸部３３ａの下に凸部２３ａが位置するように係合しているが、必ずしもこのような向きに係合する必要はない。すなわち、図３（１）又は図４（１）に示すように、第１の脚部材２及び第２の脚部材３は、何れも左右対称であるため、例えば、図５（１）において、凸部３３ａの右に凸部２３ａが位置し、凸部３３ａの下に凸部２３ｂが位置するように係合することも可能である。
【００１７】
簡易スピーカテーブルを使用する場合には、図５（２）に示すように、第１の脚部材２と第２の脚部材３を係合した状態で天板１へ取り付ける。ここでは、凸部３３ａが貫通孔１０ａと、凸部２３ｂが貫通孔１０ｂと、凸部２３ａが貫通孔１０ｃと、凸部３３ｂが貫通孔１０ｄと、それぞれ嵌合して固定されている。
前述のように、第１の脚部材２及び第２の脚部材３は何れも左右対称であり、また、第１の脚部材２と第２の脚部材３は、係合部の形状以外については同形状を呈しているため、嵌合する凸部と貫通孔の組み合わせは、上記の組み合わせに限られない。例えば、図５（２）に示す第１の脚部材２と第２の脚部材３を、第１係合部２４と第２係合部３４が係合した箇所を中心に、右に９０°回転させて、凸部３３ａが貫通孔１０ｂと、凸部２３ｂが貫通孔１０ｄと、凸部２３ａが貫通孔１０ａと、凸部３３ｂが貫通孔１０ｃと、それぞれ嵌合して固定するといったことも可能である。
【００１８】
図６〜８は、実施例１の簡易スピーカテーブルの使用イメージ図であり、図６は比較的小型のスマートフォンを切欠き部に合わせて取り付けた場合、図７は比較的大型のスマートフォンを取り付けた場合、また図８は比較的小型のスマートフォンを切欠き部から離れた位置に斜めに取り付けた場合を示している。
図６に示すように、簡易スピーカテーブル１００は、天板１に、第１の脚部材２と第２の脚部材３が取り付けられている。スマートフォン６ａは比較的小型のスマートフォンであり、スピーカ８が設けられた側を凹み部４の奥側に向けて差し入れ配置する。このような状態で、例えばスマートフォン６ａから音楽が流れると、音７はスピーカ８から発せられた後、凹み部４の壁面で反射し、凹み部４の開口部から拡散することとなる。スマートフォン６ａを凹み部４から取り出す場合には、切欠き部５に指を触れながら引き出して取り出すことが可能である。このように簡単な操作で、容易に音の広がりを良くすることができる。
【００１９】
また、図７に示すように、比較的大型のスマートフォン６ｂを取り付けた場合でも、スマートフォン６ｂが凹み部４から抜け落ちない程度のサイズであれば、比較的小型のスマートフォン６ａを取り付けた場合と同様に使用することが可能である。
さらに、図６に示す例と異なり、例えば図８に示すように、スマートフォン６ａを切欠き部５とは離れた位置に、かつ斜めに配置したとしても、凹み部４が開口方向に向けて幅広となるように形成されているため、スマートフォン６ａから出力される音を、凹み部４内で反射かつ増幅させて、効果的に拡散することが可能である。
このように、簡易スピーカテーブル１００によれば、誰でも簡単な操作で、手持ちのスマートフォン等から発せられる音の広がりを良くすることができる。また、天板１と第１の脚部材２又は第２の脚部材３は、脱着自在であるため、持ち運びも容易であり、ピクニックやハイキングに携帯して利用することも可能である。なお、天板１のみを簡易スピーカとして利用することも可能である。
【実施例２】
【００２０】
図９は、実施例２の天板の平面図を示している。実施例１の天板１は貫通孔（１０ａ〜１０ｄ）が設けられていたが、図９に示すように、実施例２の天板１ａでは、表面材１１ａにつき貫通孔が設けられておらず、中面材１２及び裏面材１３にのみ貫通孔が設けられている。そのため、天板１ａは、下方に開口された凹み部（１４ａ〜１４ｄ）が設けられた構造となっている。このように、貫通孔ではなく、凹み部が設けられる構造とすることにより、例えば天板１の表面の全面を利用したデザインを施すことができる。また、天板１の表面上に凹凸が無くなるため、コップや皿などを置きやすく利便性の高い天板として利用することが可能である。
【産業上の利用可能性】
【００２１】
本考案は、スピーカを備えた簡易テーブルとして有用である。
【符号の説明】
【００２２】
１，１ａ  天板
２  第１の脚部材
３  第２の脚部材
４，１４ａ〜１４ｄ  凹み部
５  切欠き部
６ａ，６ｂ  スマートフォン
７  音
８  スピーカ
１０ａ〜１０ｄ  貫通孔
１１，１１ａ  表面材
１２  中面材
１３  裏面材
２１  第１の脚部材本体
２２ａ，２２ｂ，３２ａ，３２ｂ  脚部
２３ａ，２３ｂ，３３ａ，３３ｂ  凸部
２４  第１係合部
３１  第２の脚部材本体
３４  第２係合部
１００  簡易スピーカテーブル
Ｗ  幅
【図１】
0003228563.tif 000003
【図２】
0003228563.tif 000004
【図３】
0003228563.tif 000005
【図４】
0003228563.tif 000006
【図５】
0003228563.tif 000007
【図６】
0003228563.tif 000008
【図７】
0003228563.tif 000009
【図８】
0003228563.tif 000010
【図９】
0003228563.tif 000011